(57)【要約】      （修正有）【課題】自由な書き込み権限がない外部記憶装置にコンテンツがダウンロードされても、そのコンテンツを検出可能とすること。【解決手段】ＰＣ１は、ＤＡＰ１０１と通信するためのＵＳＢ  Ｉ／Ｆ８と、ＣＰＵ２と、を備える。ＣＰＵ２は、ＤＡＰ１０１が備える記憶部１０３に記憶されている、記憶部１０３、又は、メモリーカード１０４、１０５にダウンロードされたコンテンツが記憶されているファルダの相対パスが記述された設定ファイルを検出する。そして、ＣＰＵ２は、検出した設定ファイルに記述されている相対パスに基づいて、コンテンツを検出する。【選択図】図１
2017162329.tif 000002
【特許請求の範囲】
【請求項１】
外部装置と通信するための通信インターフェースと、
第１制御部と、を備え、
前記第１制御部は、
前記外部装置が備える記憶装置に記憶されている、前記記憶装置、又は、外部記憶装置にダウンロードされたコンテンツが記憶されているファルダの相対パスが記述されたパスファイルを検出し、検出した前記パスファイルに記述されている前記相対パスに基づいて、コンテンツを検出することを特徴とするコンテンツ管理装置。
【請求項２】
記憶部をさらに備え、
前記第１制御部は、検出したコンテンツを前記記憶部に記憶することを特徴とする請求項１に記載のコンテンツ管理装置。
【請求項３】
前記第１制御部は、前記記憶装置、前記外部記憶装置のいずれかから順に、前記パスファイルの記憶場所を参照することを特徴とする請求項１又は２に記載のコンテンツ管理装置。
【請求項４】
外部サーバーと通信するためのネットワークインターフェースと、
記憶装置と、
第２制御部と、を備え、
前記第２制御部は、
前記外部サーバーからコンテンツをダウンロードし、
ダウンロードしたコンテンツをフォルダに記憶し、
コンテンツを記憶した前記記憶装置、又は、外部記憶装置のフォルダの相対パスを記述したパスファイルを作成し、
作成した前記パスファイルを前記記憶装置に記憶することを特徴とする電子機器。
【請求項５】
前記第２制御部は、
ダウンロードするコンテンツを記憶するフォルダの指定を受け付け、
ダウンロードしたコンテンツを、指定を受け付けたフォルダに記憶することを特徴とする請求項４に記載の電子機器。
【請求項６】
請求項１〜３のいずれか１項に記載のコンテンツ管理装置と、
請求項４又は５に記載の電子機器と、
を備えることを特徴とするコンテンツ管理システム。
【請求項７】
外部装置と通信するための通信インターフェースと、
第１制御部と、を備えるコンピュータの前記第１制御部に、
前記外部装置が備える記憶装置に記憶されている、前記記憶装置、又は、外部記憶装置にダウンロードされたコンテンツが記憶されているファルダの相対パスが記述されたパスファイルの検出、
検出した前記パスファイルに記述されている前記相対パスに基づいた、コンテンツの検出、を実行させることを特徴とするコンテンツ管理プログラム。
【発明の詳細な説明】
【技術分野】
【０００１】
本発明は、コンテンツを管理するコンテンツ管理装置、コンテンツ管理プログラム、電子機器、及び、コンテンツ管理システムに関する。
【背景技術】
【０００２】
パーソナルコンピューター（以下、「ＰＣ」という。）を、音楽、静止画、動画等のコンテンツを管理するコンテンツ管理装置として機能させる、コンテンツ管理プログラムがある（例えば、特許文献１参照。）。コンテンツ管理プログラムは、ＰＣに記憶されているコンテンツを管理する。また、コンテンツ管理プログラムは、ＰＣに接続されるデジタルオーディオプレーヤー（以下、「ＤＡＰ」という。）に記憶されているコンテンツを管理する。
【０００３】
コンテンツ管理プログラムは、ネットワークを介して、コンテンツがＤＡＰにダウンロードされると、そのコンテンツを検出することが可能である。従来技術としては、検出したいコンテンツがダウンロードされるフォルダを特定の名前にしておくことにより、検出時に、「名前が一致するフォルダを目的のフォルダとみなす」という方法がある。しかしながら、この方法では、ストレージ内のフォルダ数が多いと、検出に時間が必要となる。また、ダウンロード先のフォルダ名が特定の名前でなければならない。このため、ユーザーは、既存の任意のフォルダをダウンロード先として指定することができない。
【先行技術文献】
【特許文献】
【０００４】
【特許文献１】特開２００９−２４５５８７号公報
【発明の概要】
【発明が解決しようとする課題】
【０００５】
ＤＡＰにおいて、本体内蔵ストレージ（記憶装置）に対しては、自由な書き込み権限がある。しかし、ｍｉｃｒｏＳＤカード等の外部ストレージ（外部記憶装置）に対しては、自由な書き込み権限がない場合がある。ここで、上述した問題を解決するために、検出したいフォルダのパスを記述したパスファイルを作成し、コンテンツがダウンロードされたストレージの特定の場所に記憶しておくということが考えられる。しかしながら、コンテンツがダウンロードされたストレージが、外部ストレージである場合、パスファイルを記憶することができないという問題がある。
【０００６】
本発明の目的は、自由な書き込み権限がない外部記憶装置にコンテンツがダウンロードされても、そのコンテンツを検出可能とすることである。
【課題を解決するための手段】
【０００７】
第１の発明のコンテンツ管理装置は、外部装置と通信するための通信インターフェースと、第１制御部と、を備え、前記第１制御部は、前記外部装置が備える記憶装置に記憶されている、前記記憶装置、又は、外部記憶装置にダウンロードされたコンテンツが記憶されているファルダの相対パスが記述されたパスファイルを検出し、検出した前記パスファイルに記述されている前記相対パスに基づいて、コンテンツを検出することを特徴とする。
【０００８】
本発明では、第１制御部は、外部装置が備える記憶装置に記憶されている、記憶装置、又は、外部記憶装置にダウンロードされたコンテンツが記憶されているフォルダの相対パスが記述されたパスファイルを検出する。そして、第１制御部は、検出したパスファイルに記述されている相対パスに基づいて、コンテンツを検出する。これにより、自由な書き込み権限がない外部記憶装置にコンテンツがダウンロードされても、そのコンテンツを検出することができる。また、パスファイルが記憶されている特定の場所を参照することで、パスファイルを検出し、短い時間でコンテンツを検出することができる。また、検出したいコンテンツが記憶されるフォルダの名前を制限する必要がない。
【０００９】
第２の発明のコンテンツ管理装置は、第１の発明のコンテンツ管理装置において、記憶部をさらに備え、前記第１制御部は、検出したコンテンツを前記記憶部に記憶することを特徴とする。
【００１０】
本発明では、第１制御部は、検出したコンテンツを記憶部に記憶する。これにより、自由な書き込み権限がない外部記憶装置にコンテンツがダウンロードされても、そのコンテンツを外部装置からコンテンツ管理装置に転送（コピー）することができる。
【００１１】
第３の発明のコンテンツ管理装置は、第１又は第２の発明のコンテンツ管理装置において、前記第１制御部は、前記記憶装置、前記外部記憶装置のいずれかから順に、前記パスファイルの記憶場所を参照することを特徴とする。
【００１２】
本発明では、第１制御部は、記憶装置、外部記憶装置のいずれかから順に、パスファイルの記憶場所を参照する。これにより、記憶装置に記憶されているパスファイルを検出することができる。
【００１３】
第４の発明の電子機器は、外部サーバーと通信するためのネットワークインターフェースと、記憶装置と、第２制御部と、を備え、前記第２制御部は、前記外部サーバーからコンテンツをダウンロードし、ダウンロードしたコンテンツをフォルダに記憶し、コンテンツを記憶した前記記憶装置、又は、外部記憶装置のフォルダの相対パスを記述したパスファイルを作成し、作成した前記パスファイルを前記記憶装置に記憶することを特徴とする。
【００１４】
本発明では、第２制御部は、コンテンツを記憶した記憶装置、又は、外部記憶装置のフォルダの相対パスを記述したパスファイルを作成する。そして、第２制御部は、作成したパスファイルを記憶装置に記憶する。これにより、コンテンツ管理装置は、パスファイルを検出し、コンテンツを検出することができる。従って、本発明によれば、自由な書き込み権限がない外部記憶装置にコンテンツがダウンロードされても、そのコンテンツを検出することができる。
【００１５】
第５の発明の電子機器は、第４の発明の電子機器において、前記第２制御部は、ダウンロードするコンテンツを記憶するフォルダの指定を受け付け、ダウンロードしたコンテンツを、指定を受け付けたフォルダに記憶することを特徴とする。
【００１６】
本発明では、第２制御部は、ダウンロードするコンテンツを記憶するフォルダの指定を受け付ける。そして、第２制御部は、ダウンロードしたコンテンツを、指定を受け付けたフォルダに記憶する。このため、ユーザーは、コンテンツを所望のフォルダにダウンロードすることができる。
【００１７】
第６の発明のコンテンツ管理システムは、第１〜第３の発明のいずれかのコンテンツ管理装置と、第４又は第５の発明の電子機器器と、を備えることを特徴とする。
【００１８】
第７の発明のコンテンツ管理プログラムは、外部装置と通信するための通信インターフェースと、第１制御部と、を備えるコンピュータの前記第１制御部に、前記外部装置が備える記憶装置に記憶されている、前記記憶装置、又は、外部記憶装置にダウンロードされたコンテンツが記憶されているファルダの相対パスが記述されたパスファイルの検出、検出した前記パスファイルに記述されている前記相対パスに基づいた、コンテンツの検出、を実行させることを特徴とする。
【発明の効果】
【００１９】
本発明によれば、自由な書き込み権限がない外部記憶装置にコンテンツがダウンロードされても、そのコンテンツを検出することができる。
【図面の簡単な説明】
【００２０】
【図１】本発明の実施形態に係るコンテンツ管理システムの構成を示すブロック図である。
【図２】コンテンツを外部サーバーからダウンロードする場合のＤＡＰの処理動作を示すフローチャートである。
【図３】ＤＡＰにダウンロードされたコンテンツを検出する場合のＰＣの処理動作を示すフローチャートである。
【発明を実施するための形態】
【００２１】
（コンテンツ管理システム）
以下、本発明の実施形態について説明する。図１は、本実施形態に係るコンテンツ管理システム３００の構成を示すブロック図である。コンテンツ管理システム３００は、コンテンツ管理装置として機能するパーソナルコンピューター（以下、「ＰＣ」という。）１と、デジタルオーディオプレーヤー（以下、「ＤＡＰ」という。）１０１と、を備える。
【００２２】
（ＰＣ）
ＰＣ１は、記憶部５に記憶されているコンテンツ管理プログラムＰが実行されることにより、コンテンツを管理するコンテンツ管理装置として機能する。ＰＣ１は、ＣＰＵ（Central Processing Unit）２、ＲＯＭ（Read Only Memory）３、ＲＡＭ（Random Access Memory）４、記憶部５、表示部６、操作部７、ＵＳＢインターフェース（以下、「ＵＳＢ  Ｉ／Ｆ」という。）８、ネットワークインターフェース（以下、「ＮＷ  Ｉ／Ｆ」という。）９、スピーカー１０を備える。なお、コンテンツ管理プログラムＰは、工場出荷時にＰＣ１の記憶部５に記憶されていてもよいし、後述するＮＷ  Ｉ／Ｆ９を介して、図示しないサーバーからダウンロードされ、ＰＣ１の記憶部５に記憶されていてもよい。
【００２３】
ＣＰＵ２（第１制御部）は、制御プログラム、ＯＳ（Operating System）プログラム、コンテンツ管理プログラムＰを含むアプリケーションプログラムに従って、ＰＣ１を構成する各部を制御する。
【００２４】
ＲＯＭ３は、制御プログラムを記憶する。ＲＡＭ４は、ＣＰＵ２の主メモリとして機能する。記憶部５は、ＯＳプログラム、コンテンツ管理プログラムＰを含むアプリケーションプログラム等のプログラム、音楽、静止画、動画等のコンテンツを記憶するＨＤＤ（Hard Disc Drive）である。なお、記憶部５は、例示する構成に限られず、ＳＳＤ（Solid State Drive）等であってもよい。
【００２５】
表示部６は、種々の画像（静止画、動画を含む）を表示するものであり、例えば、液晶ディスプレイである。操作部７は、キーボードやマウス等から構成されており、各種設定、コンテンツの転送指示等を行うためのものである。ユーザーは、操作部７を介して、コンテンツ管理プログラムＰの実行、ＤＡＰ１０１へのコンテンツの転送指示等を行うことが可能である。ＵＳＢ  Ｉ／Ｆ８（通信インターフェース）は、ＤＡＰ１０１とＵＳＢ規格に対応した通信を行うためのインターフェースである。ＰＣ１は、ＵＳＢ  Ｉ／Ｆ８を介して、ＤＡＰ１０１と通信を行うことが可能である。ＮＷ  Ｉ／Ｆ９は、図示しないネットワークを介してインターネットに接続するためのインターフェースである。ＰＣ１は、ＮＷ  Ｉ／Ｆ９を介して、他の端末と通信等を行うことが可能である。スピーカー１０は、ＣＰＵ２から出力される音声信号に基づいて、音楽等の種々の音声を出力する。
【００２６】
（ＤＡＰ）
ＤＡＰ１０１（電子機器、外部装置）は、ヘッドホン２００にアナログオーディオデータを出力する。ヘッドホン２００は、アナログオーディオデータに基づいて、音声を外部に出力する。ＤＡＰ１０１は、ＣＰＵ１０２、ＲＯＭ１１４、ＲＡＭ１１５、記憶部１０３、メモリーカード１０４、１０５、表示部１０６、操作部１０７、ＤＳＰ（Digital Signal Processor）１０８、Ｄ／Ａコンバーター（以下、「ＤＡＣ」という。）１０９、増幅器１１０、１１１、無線モジュール１１２、ＵＳＢインターフェース（以下、「ＵＳＢ  Ｉ／Ｆ」という。）１１３を備える。
【００２７】
ＣＰＵ１０２（第２制御部）は、制御プログラム、ＯＳプログラム、アプリケーションプログラムに従って、ＤＡＰ１０１を構成する各部を制御する。ＲＯＭ１１４は、制御プログラムを記憶する。ＲＡＭ１１５は、ＣＰＵ１０２の主メモリとして機能する。記憶部１０３（記憶装置）は、ＯＳプログラム、アプリケーションプログラム等のプログラム、コンテンツ等の各種データを記憶するフラッシュメモリである。なお、記憶部１０３は、例示する構成に限られず、ＨＤＤ（Hard Disk Drive）等であってもよい。
【００２８】
メモリーカード１０４、１０５（外部記憶装置）は、コンテンツを記憶する。メモリーカード１０４、１０５は、例えば、ｍｉｃｒｏＳＤカードである。ここで、ＤＡＰ１０１は、Android（登録商標） OSを搭載している。このため、メモリーカード１０４、１０５に対しては、自由な書き込み権限がない。一方で、記憶部１０３に対しては、自由な書き込み権限がある。なお、記憶部１０３、メモリーカード１０４、１０５を、「ストレージ」ということがある。また、Android（登録商標） OSを搭載していても、ＯＳのバージョンによっては、自由な書き込み権限を有する場合がある。
【００２９】
表示部１０６は、種々の画像（静止画像、動画像を含む）を表示するものであり、液晶パネルにより構成されている。操作部１０７は、各種設定を行うための操作キー、及び、表示部１０６と連動したタッチパネルを備えている。ユーザーは、操作部１０７を介して、各種の文字入力、設定などを行うことが可能である。また、ユーザーは、操作部１０７を介して、外部サーバーからコンテンツをダウンロードすることが可能である。ダウンロードされたコンテンツは、記憶部１０３、メモリーカード１０４、１０５のいずれかのストレージに記憶される。
【００３０】
ＤＳＰ１０８は、デジタルオーディオデータ（コンテンツ）に、イコライザー処理等の信号処理を行う。ＤＡＣ１０９は、デジタルオーディオデータをアナログオーディオデータにＤ／Ａ変換する。増幅器１１０、１１１は、ＤＡＣ１０９がＤ／Ａ変換したアナログオーディオデータを増幅し、ヘッドホン２００に出力する。無線モジュール１１２（ネットワークインターフェース）は、Ｂｌｕｅｔｏｏｔｈ（登録商標）規格、Ｗｉ−Ｆｉ規格に従った無線通信を行うためのものである。ＤＡＰ１０１は、無線モジュール１１２を介して、外部サーバーと通信可能である。ＵＳＢ  Ｉ／Ｆ１１３は、ＵＳＢ規格に従った通信を行うためのものである。ＤＡＰ１０１は、ＵＳＢ  Ｉ／Ｆ１１３を介して、ＰＣ１と通信を行うことが可能である。
【００３１】
ＰＣ１は、記憶部１０３、メモリーカード１０４、１０５に記憶されているコンテンツを管理する。ＰＣ１とＤＡＰ１０１とは、ＵＳＢケーブルによって接続される。
【００３２】
次に、コンテンツを外部サーバーからダウンロードする場合のＤＡＰ１０１の処理動作を、図２に示すフローチャートに基づいて説明する。ＣＰＵ１０２は、ＰＣ１に検出させたいフォルダの相対パスを取得する（Ｓ１）。ＰＣ１に検出させるフォルダは、ＣＰＵ２が、無線モジュール１１２を介して、コンテンツをダウンロードし、ダウンロードしたコンテンツを記憶した記憶部１０３、メモリーカード１０４、１０５のいずれかのフォルダである。ここで、ＣＰＵ１０２は、外部サーバーからダウンロードするコンテンツを記憶するフォルダの指定を受け付ける。ユーザーは、操作部１０７により、ダウンロードするコンテンツを記憶するフォルダを指定可能である。ＣＰＵ１０２は、指定を受け付けたフォルダにコンテンツを記憶する。ＣＰＵ１０２は、取得した相対パスを設定ファイル（パスファイル）に書き込む（Ｓ２）。ＣＰＵ１０２は、設定ファイルを記憶部１０３の所定の場所（記憶場所）に記憶する（Ｓ３）。相対パスは、例えば、A music/DL等である。
【００３３】
次に、ＤＡＰ１０１にダウンロードされたコンテンツを検出する場合のＰＣ１の処理動作を、図３に示すフローチャートに基づいて説明する。ＣＰＵ２は、ＤＡＰ１０１の最初のストレージに設定ファイルがあるか否かを判断する（Ｓ１１）。具体的には、ＣＰＵ２は、最初のストレージにおいて、ＤＡＰ１０１が設定ファイルを記憶する特定の場所を参照し、設定ファイルがあるか否かを判断する。ＣＰＵ２は、最初のストレージに設定ファイルがあると判断した場合（Ｓ１１：Ｙｅｓ）、設定ファイルから相対パスを取得する（Ｓ１２）。ＣＰＵ２は、選択中のストレージに、相対パスのフォルダがあるか否かを判断する（Ｓ１３）。具体的には、ＣＰＵ２は、選択中のストレージにおいて、相対パスを参照し、相対パスのフォルダがあるか否かを判断する。
【００３４】
ＣＰＵ２は、選択中のストレージに、相対パスのフォルダがあると判断した場合（Ｓ１３：Ｙｅｓ）、相対パスのフォルダに新たに追加されたコンテンツを検出する（Ｓ１４）ＣＰＵ２は、検出したコンテンツを記憶部３に記憶する。
【００３５】
ＣＰＵ２は、最初のストレージに設定ファイルがないと判断した場合（Ｓ１１：Ｎｏ）、他のストレージに設定ファイルがあるか否かを判断する（Ｓ１５）。すなわち、ＣＰＵ２は、最初のストレージから順に、特定の場所にある設定ファイルを参照する。ＣＰＵ２は、他のストレージに設定ファイルがあると判断した場合（Ｓ１５：Ｙｅｓ）、Ｓ１２の処理を実行する。ＣＰＵ２は、他のストレージに設定ファイルがないと判断した場合（Ｓ１５：Ｎｏ）、ダウンロードされたコンテンツが記憶されたフォルダは、ＤＡＰ１０１には存在しないため、処理を終了する。また、ＣＰＵ２は、選択中のストレージに、相対パスのフォルダがないと判断した場合（Ｓ１３：Ｎｏ）、ダウンロードされたコンテンツが記憶されたフォルダは、他のストレージにあるため、処理を終了する。
【００３６】
以上説明したように、本実施形態では、ＣＰＵ２は、ＤＡＰ１０１が備える記憶部１０３に記憶されている、記憶部１０３、又は、メモリーカード１０４、１０５にダウンロードされたコンテンツが記憶されているフォルダの相対パスが記述された設定ファイルを検出する。そして、ＣＰＵ２は、検出した設定ファイルに記述されている相対パスに基づいて、コンテンツを検出する。これにより、自由な書き込み権限がないメモリーカード１０４、１０５にコンテンツがダウンロードされても、そのコンテンツを検出することができる。また、設定ファイルが記憶されている特定の場所を参照することで、設定ファイルを検出し、短い時間でコンテンツを検出することができる。また、検出したいコンテンツが記憶されるフォルダの名前を制限する必要がない。
【００３７】
また、本実施形態では、ＣＰＵ２は、検出したコンテンツを記憶部５に記憶する。これにより、自由な書き込み権限がないメモリーカード１０４、１０５にコンテンツがダウンロードされても、そのコンテンツをＤＡＰ１０１からＰＣ１に転送（コピー）することができる。
【００３８】
また、本実施形態では、ＣＰＵ２は、記憶部１０３、メモリーカード１０４、１０５のいずれかから順に、設定ファイルの記憶場所を参照する。これにより、記憶部１０３に記憶されている設定ファイルを検出することができる。
【００３９】
また、本実施形態では、ＣＰＵ１０２は、コンテンツを記憶した記憶部１０３、又は、メモリーカード１０４、１０５のフォルダの相対パスを記述した設定ファイルを作成する。そして、ＣＰＵ１０２は、作成した設定ファイルを記憶部１０２に記憶する。これにより、ＰＣ１は、パスファイルを検出し、コンテンツを検出することができる。従って、本実施形態によれば、自由な書き込み権限がないメモリーカード１０４、１０５にコンテンツがダウンロードされても、そのコンテンツを検出することができる。
【００４０】
また、本実施形態では、ＣＰＵ１０２は、ダウンロードするコンテンツを記憶するフォルダの指定を受け付ける。そして、ＣＰＵ１０２は、ダウンロードしたコンテンツを、指定を受け付けたフォルダに記憶する。このため、ユーザーは、コンテンツを所望のフォルダにダウンロードすることができる。
【００４１】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４２】
上述の実施形態においては、電子機器として、ＤＡＰ１０１を例示した。これに限らず、外部サーバーからコンテンツをダウンロード可能な電子機器であれば、スマートフォン、タブレット等であってもよい。
【産業上の利用可能性】
【００４３】
本発明は、コンテンツを管理するコンテンツ管理装置、コンテンツ管理プログラム、電子機器、及び、コンテンツ管理システムに好適に採用され得る。
【符号の説明】
【００４４】
１  ＰＣ（コンテンツ管理装置）
２  ＣＰＵ（第１制御部）
３  記憶部
８  ＵＳＢ  Ｉ／Ｆ（通信インターフェース）
１０１  ＤＡＰ（外部装置、電子機器）
１０２  ＣＰＵ（第２制御部）
１０３  記憶部（記憶装置）
１０４、１０５  メモリーカード（外部記憶装置）
１１２  無線モジュール（ネットワークインターフェース）
３００  コンテンツ管理システム
Ｐ  コンテンツ管理プログラム
【図１】
2017162329.tif 000003
【図２】
2017162329.tif 000004
【図３】
2017162329.tif 000005
【手続補正書】
【提出日】平成29年4月12日(2017.4.12)
【手続補正１】
【補正対象書類名】特許請求の範囲
【補正対象項目名】全文
【補正方法】変更
【補正の内容】
【特許請求の範囲】
【請求項１】
外部記憶装置が接続される外部装置と通信するための通信インターフェースと、
第１制御部と、を備え、
前記第１制御部は、
前記外部装置が備える記憶装置に記憶されている、前記記憶装置、又は、前記外部記憶装置にダウンロードされたコンテンツが記憶されているファルダの相対パスが記述されたパスファイルを検出し、検出した前記パスファイルに記述されている前記相対パスに基づいて、コンテンツを検出することを特徴とするコンテンツ管理装置。
【請求項２】
記憶部をさらに備え、
前記第１制御部は、検出したコンテンツを前記記憶部に記憶することを特徴とする請求項１に記載のコンテンツ管理装置。
【請求項３】
前記第１制御部は、前記記憶装置、前記外部記憶装置のいずれかから順に、前記パスファイルの記憶場所を参照することを特徴とする請求項１又は２に記載のコンテンツ管理装置。
【請求項４】
外部サーバーと通信するためのネットワークインターフェースと、
記憶装置と、
外部記憶装置と、
第２制御部と、を備え、
前記第２制御部は、
前記外部サーバーからコンテンツをダウンロードし、
ダウンロードしたコンテンツをフォルダに記憶し、
コンテンツを記憶した前記記憶装置、又は、前記外部記憶装置のフォルダの相対パスを記述したパスファイルを作成し、
作成した前記パスファイルを前記記憶装置に記憶することを特徴とする電子機器。
【請求項５】
前記第２制御部は、
ダウンロードするコンテンツを記憶するフォルダの指定を受け付け、
ダウンロードしたコンテンツを、指定を受け付けたフォルダに記憶することを特徴とする請求項４に記載の電子機器。
【請求項６】
請求項１〜３のいずれか１項に記載のコンテンツ管理装置と、
請求項４又は５に記載の電子機器と、
を備えることを特徴とするコンテンツ管理システム。
【請求項７】
外部記憶装置が接続される外部装置と通信するための通信インターフェースと、
第１制御部と、を備えるコンピュータの前記第１制御部に、
前記外部装置が備える記憶装置に記憶されている、前記記憶装置、又は、前記外部記憶装置にダウンロードされたコンテンツが記憶されているファルダの相対パスが記述されたパスファイルの検出、
検出した前記パスファイルに記述されている前記相対パスに基づいた、コンテンツの検出、を実行させることを特徴とするコンテンツ管理プログラム。